(57)【要約】【課題】本願発明は、空いている通信回線を有効活用し、ＩＰ接続を隠ぺいできる送受信装置を提供する。【解決手段】送受信装置１０は、隣接する他の送受信装置１０との間でオーバレイネットワークを構築するネットワーク構築手段６２と、オーバレイネットワークを介して、他の送受信装置１０にＱＵＥＲＹメッセージを送信するファイル検索手段６４と、ＱＵＥＲＹ−ＨＩＴメッセージを受信した場合、他の送受信装置１０から未伝送素材ファイルを受信し、内部ストレージ５０に書き込むファイル交換手段６６とを備える。【選択図】図２
2016116101.tif 000002
【特許請求の範囲】
【請求項１】
ＩＰ接続された通信回線にオーバレイネットワークを構築し、素材ファイルを送受信する送受信装置であって、
隣接する他の送受信装置との間で、前記オーバレイネットワークを構築するネットワーク構築手段と、
前記オーバレイネットワークを介して、前記他の送受信装置に、記憶手段に記憶されていない前記素材ファイルである未伝送素材ファイルを有しているか否かの問い合わせを送信するファイル検索手段と、
前記他の送受信装置が前記未伝送素材ファイルを有していると応答した場合、前記他の送受信装置から前記未伝送素材ファイルを受信して前記記憶手段に書き込むファイル交換手段と、を備え、
前記ファイル検索手段は、前記問い合わせを受信した場合、前記未伝送素材ファイルが前記記憶手段に記憶されているか否かを判定し、前記記憶手段に前記未伝送素材ファイルが記憶されている場合、問い合わせ元の送受信装置に、前記未伝送素材ファイルを有していると応答し、
前記ファイル交換手段は、前記ファイル検索手段が応答した問い合わせ元の送受信装置に、前記未伝送素材ファイルを送信することを特徴とする送受信装置。
【請求項２】
前記ネットワーク構築手段は、往復遅延時間が最小となる前記他の送受信装置との間で、前記オーバレイネットワークを構築することを特徴とする請求項１に記載の送受信装置。
【請求項３】
前記ファイル検索手段は、前記問い合わせとして、転送回数が１に設定されたＱＵＥＲＹメッセージを前記他の送受信装置に送信することを特徴とする請求項１又は請求項２に記載の送受信装置。
【請求項４】
前記ファイル検索手段は、前記問い合わせの送信可否が予め設定されることを特徴とする請求項１から請求項３の何れか一項に記載の送受信装置。
【請求項５】
前記ファイル交換手段は、
予約リストに前記未伝送素材ファイルの識別情報を格納し、
ベースバンド伝送の実行状態又はベースバンド伝送実行中の残通信帯域に基づいて、前記未伝送素材ファイルを送信できるか否かを判定し、
前記未伝送素材ファイルを送信できる場合、前記問い合わせ元の送受信装置に、前記予約リストに格納された順番で、前記識別情報で識別される未伝送素材ファイルを送信することを特徴とする請求項１から請求項４の何れか一項に記載の送受信装置。
【請求項６】
前記ファイル検索手段は、前記記憶手段に記憶された素材ファイルの削除を指令された場合、又は、予め設定された期間を超えて前記素材ファイルが前記記憶手段に記憶されている場合、当該素材ファイルを前記記憶手段から削除することを特徴とする請求項１から請求項５の何れか一項に記載の送受信装置。
【請求項７】
ＩＰ接続された通信回線にオーバレイネットワークを構築し、素材ファイルを送受信する送受信装置におけるオーバレイネットワーク構築方法であって、
ネットワーク構築手段が、ＰＩＮＧメッセージをブロードキャスト送信するＰＩＮＧメッセージ送信ステップと、
前記ネットワーク構築手段が、前記ＰＩＮＧメッセージを受信した他の送受信装置から、ＰＯＮＧメッセージを受信するＰＯＮＧメッセージ受信ステップと、
前記ネットワーク構築手段が、前記ＰＩＮＧメッセージと前記ＰＯＮＧメッセージとの往復遅延時間を算出する往復遅延時間算出ステップと、
前記ネットワーク構築手段が、前記往復遅延時間が最小となる他の送受信装置との間で、前記オーバレイネットワークを構築するオーバレイネットワーク構築ステップと、を順に実行することを特徴とするオーバレイネットワーク構築方法。
【請求項８】
ＩＰ接続された通信回線にオーバレイネットワークを構築し、素材ファイルを送受信する送受信装置における素材ファイル検索方法であって、
ファイル検索手段が、隣接する他の送受信装置から、当該他の送受信装置に記憶されていない前記素材ファイルである未伝送素材ファイルを有しているか否かの問い合わせを受信する問い合わせ受信ステップと、
前記ファイル検索手段が、前記未伝送素材ファイルが記憶手段に記憶されているか否かを判定する素材ファイル記憶判定ステップと、
前記ファイル検索手段が、前記未伝送素材ファイルが記憶されている場合、問い合わせ元の送受信装置に、前記未伝送素材ファイルを有していると応答する問い合わせ応答ステップと、を順に実行することを特徴とする素材ファイル検索方法。
【請求項９】
ＩＰ接続された通信回線にオーバレイネットワークを構築し、素材ファイルを送受信する送受信装置における素材ファイル送信方法であって、
ファイル交換手段が、予約リストに、他の送受信装置に記憶されていない前記素材ファイルである未伝送素材ファイルの識別情報を格納する予約リスト格納ステップと、
前記ファイル交換手段が、ベースバンド伝送の実行状態又はベースバンド伝送実行中の残通信帯域に基づいて、前記未伝送素材ファイルを送信できるか否かを判定するベースバンド伝送判定ステップと、
前記ファイル交換手段が、前記未伝送素材ファイルを送信できる場合、問い合わせ元の送受信装置に、前記予約リストに格納された順番で、前記識別情報で識別される未伝送素材ファイルを送信する素材ファイル送信ステップと、を順に実行することを特徴とする素材ファイル送信方法。
【発明の詳細な説明】
【技術分野】
【０００１】
本願発明は、ＩＰ接続された通信回線にオーバレイネットワークを構築し、素材ファイルを送受信する送受信装置、この送受信装置におけるオーバレイネットワーク構築方法、素材ファイル検索方法及び素材ファイル送信方法に関する。
【背景技術】
【０００２】
放送事業者は、マイクロ波帯のＦＰＵ（Field Pick-up Unit）を活用して、離れた取材現場から各演奏所（放送会館）へ放送用素材を伝送している。既存のＦＰＵは、単方向通信方式を採用し、入力信号もＤＶＢ−ＡＳＩやＨＤ−ＳＤＩに代表されるベースバンド信号に限られるため、リアルタイムの単方向伝送のみが可能である（特許文献１〜３参照）。
【０００３】
そこで、現在進められている放送用素材のファイルベース化に伴い、双方向通信機能を有するＦＰＵの開発が進められている（特許文献４〜６参照）。今後、ＩＰ（Internet Protocol）ベースの蓄積型素材ファイル伝送が行われる可能性が高くなっている。
【先行技術文献】
【特許文献】
【０００４】
【特許文献１】特開２０１０−１７１６８１号公報
【特許文献２】特開２０１０−１１４７９０号公報
【特許文献３】特開２００３−２３４７１７号公報
【特許文献４】特開２０１３−２３６３２０号公報
【特許文献５】特開２０１４−０３９１３６号公報
【特許文献６】特開２０１４−０５００３４号公報
【発明の概要】
【発明が解決しようとする課題】
【０００５】
しかし、前記した蓄積型素材ファイル伝送では、素材ファイルの送信元（取材現場）から受信先（演奏所）までの全回線が確立して、初めて伝送が可能となる。例えば、取材現場から演奏所までＦＰＵ基地局を中継して伝送を行う場合を考える。この場合、他の取材現場によるベースバンド伝送のため、ＦＰＵ基地局から演奏所まで通信回線が使用中の場合、取材現場から基地局間までの通信回線が空いていても、素材ファイルを伝送できず、通信回線の空きを待つことになる。つまり、前記した蓄積型素材ファイル伝送では、全回線の確立が前提となるため、通信回線（周波数資源）を必ずしも最大限活用しているとはいえない。
【０００６】
また、ＩＰ接続後に素材ファイル伝送を行うにあたり、受信先の作業者は、送信元のＦＰＵのＩＰアドレスを入手し、そのＩＰアドレスを基に送信元のＦＰＵにアクセスし、素材ファイルを取得する必要がある。一方、ＦＰＵは、移動を前提とした機器であり、国内任意の地点から異なる演奏所や基地局へ接続することが多く、ＦＰＵのＩＰアドレスが頻繁に変更される。だが、移動の都度、ＦＰＵのＩＰアドレスを入手するのは、その手間が煩雑で運用に耐えられない。従って、ＦＰＵの運用性を高めるには、ＩＰ接続を隠ぺいし、ＦＰＵの移動を意識させないシステムであることが好ましい。
【０００７】
そこで、本願発明は、空いている通信回線を有効活用し、ＩＰ接続を隠ぺいできる送受信装置、オーバレイネットワーク構築方法、素材ファイル検索方法及び素材ファイル送信方法を提供することを課題とする。
【課題を解決するための手段】
【０００８】
前記した課題に鑑みて、本願発明に係る送受信装置は、ＩＰ接続された通信回線にオーバレイネットワークを構築し、素材ファイルを送受信する送受信装置であって、ネットワーク構築手段と、ファイル検索手段と、ファイル交換手段と、を備える構成とした。
【０００９】
かかる構成によれば、送受信装置は、ネットワーク構築手段によって、隣接する他の送受信装置との間で、ＩＰ接続された通信回線上にオーバレイネットワークを構築する。これにより、送受信装置は、ＩＰ接続を意識する必要がなくなる。
【００１０】
送受信装置は、ファイル検索手段によって、オーバレイネットワークを介して、他の送受信装置に、自装置の記憶手段に記憶されていない新しい素材ファイル（以下、「未伝送素材ファイル」）を有しているか否かの問い合わせを送信する。
送受信装置は、ファイル交換手段によって、他の送受信装置が未伝送素材ファイルを有していると応答した場合、他の送受信装置から未伝送素材ファイルを受信して記憶手段に書き込む。
【００１１】
送受信装置は、ファイル検索手段によって、問い合わせを受信した場合、問い合わせ元の送受信装置から問い合わせのあった未伝送素材ファイルが記憶手段に記憶されているか否かを判定し、記憶手段に未伝送素材ファイルが記憶されている場合、問い合わせ元の送受信装置に、未伝送素材ファイルを有していると他の送受信装置に応答する。
【００１２】
送受信装置は、ファイル交換手段によって、ファイル検索手段が応答した問い合わせ元の送受信装置に、未伝送素材ファイルを送信する。このように、送受信装置は、オーバレイネットワークを介して、リレー方式で未伝送素材ファイルを送受信する。
【００１３】
また、本願発明に係るオーバレイネットワーク構築方法は、ＩＰ接続された通信回線にオーバレイネットワークを構築し、素材ファイルを送受信する送受信装置におけるオーバレイネットワーク構築方法であって、ＰＩＮＧメッセージ送信ステップと、ＰＯＮＧメッセージ受信ステップと、往復遅延時間算出ステップと、オーバレイネットワーク構築ステップと、を順に実行する手順とした。
【００１４】
かかる手順によれば、オーバレイネットワーク構築方法では、ＰＩＮＧメッセージ送信ステップにおいて、ネットワーク構築手段が、ＰＩＮＧメッセージをブロードキャスト送信する。
オーバレイネットワーク構築方法では、ＰＯＮＧメッセージ受信ステップにおいて、ネットワーク構築手段が、ＰＩＮＧメッセージを受信した送受信装置から、ＰＯＮＧメッセージを受信する。
オーバレイネットワーク構築方法では、往復遅延時間算出ステップにおいて、ネットワーク構築手段が、ＰＩＮＧメッセージとＰＯＮＧメッセージとの往復遅延時間を算出する。
【００１５】
オーバレイネットワーク構築方法では、オーバレイネットワーク構築ステップにおいて、ネットワーク構築手段が、往復遅延時間が最小となる他の送受信装置との間で、ＩＰ接続された通信回線上にオーバレイネットワークを構築する。これにより、オーバレイネットワーク構築方法では、ＩＰ接続を意識する必要がなくなる。
【００１６】
また、本願発明に係る素材ファイル検索方法は、ＩＰ接続された通信回線にオーバレイネットワークを構築し、素材ファイルを送受信する送受信装置における素材ファイル検索方法であって、問い合わせ受信ステップと、素材ファイル記憶判定ステップと、問い合わせ応答ステップと、を順に実行する手順とした。
【００１７】
かかる手順によれば、素材ファイル検索方法では、問い合わせ受信ステップにおいて、ファイル検索手段が、隣接する他の送受信装置から、未伝送素材ファイルを有しているか否かの問い合わせを受信する。
【００１８】
素材ファイル検索方法では、素材ファイル記憶判定ステップにおいて、ファイル検索手段が、未伝送素材ファイルが記憶手段に記憶されているか否かを判定する。
素材ファイル検索方法では、問い合わせ応答ステップにおいて、ファイル検索手段が、未伝送素材ファイルが記憶されている場合、問い合わせ元の送受信装置に、未伝送素材ファイルを有していると応答する。
【００１９】
また、本願発明に係る素材ファイル送信方法は、ＩＰ接続された通信回線にオーバレイネットワークを構築し、素材ファイルを送受信する送受信装置における素材ファイル送信方法であって、予約リスト格納ステップと、ベースバンド伝送判定ステップと、素材ファイル送信ステップと、を順に実行する手順とした。
【００２０】
かかる手順によれば、素材ファイル送信方法では、予約リスト格納ステップにおいて、ファイル交換手段が、予約リストに、未伝送素材ファイルの識別情報を格納する。
素材ファイル送信方法では、ベースバンド伝送判定ステップにおいて、ファイル交換手段が、ベースバンド伝送の実行状態又はベースバンド伝送実行中の残通信帯域に基づいて、未伝送素材ファイルを送信できるか否かを判定する。
【００２１】
素材ファイル送信方法では、素材ファイル送信ステップにおいて、ファイル交換手段が、未伝送素材ファイルを送信できる場合、問い合わせ元の送受信装置に、予約リストに格納された順番で、識別情報で識別される未伝送素材ファイルを送信する。つまり、素材ファイル送信方法では、オーバレイネットワークを介して、リレー方式で未伝送素材ファイルを送受信する。
【発明の効果】
【００２２】
本願発明によれば、以下のような優れた効果を奏する。
本願発明によれば、ＩＰ接続された通信回線上にオーバレイネットワークを構築するため、ＩＰ接続を隠ぺいできる。さらに、本願発明によれば、一部の通信回線でベースバンド伝送が行われている場合でも、ベースバンド伝送が行われていない通信回線や通信帯域を用いて、リレー方式で未伝送素材ファイルを送受信できるので、空いている周波数資源を有効活用することができる。
【図面の簡単な説明】
【００２３】
【図１】本願発明の実施形態に係る素材ファイル交換システムの概略構成図である。
【図２】本願発明の実施形態に係る送受信装置の構成を示すブロック図である。
【図３】新たな送受信装置を追加する前のオーバレイネットワークのトポロジ図である。
【図４】ＰＩＮＧメッセージの送信とＰＯＮＧメッセージの受信とを説明する説明図である。
【図５】新たな送受信装置を追加した後のオーバレイネットワークのトポロジ図である。
【図６】ＱＵＥＲＹメッセージのＴＴＬの設定を説明する説明図である。
【図７】素材ファイルが往復する現象を説明する説明図である。
【図８】リレー方式による素材ファイルの送受信を説明する説明図である。
【図９】ＱＵＥＲＹメッセージの送信可否を説明する説明図である。
【図１０】予約リストによる素材ファイルの送信を説明する説明図である。
【図１１】図１の素材ファイル交換システムでのオーバレイネットワーク構築処理を表すフローチャートである。
【図１２】図１の素材ファイル交換システムでの素材ファイル問合処理及び素材ファイル検索処理を表すシーケンス図である。
【図１３】図１の素材ファイル交換システムでの素材ファイル送信処理を表すフローチャートである。
【発明を実施するための形態】
【００２４】
［素材ファイル交換システムの概略］
以下、本願発明の実施形態について、適宜図面を参照しながら詳細に説明する。
図１を参照し、本願発明の実施形態に係る素材ファイル交換システム１の概略について説明する。
【００２５】
図１のように、素材ファイル交換システム１は、送受信装置（ＴＲＸ）１０がリレー方式で素材ファイルを送受信するものであり、同一構成の送受信装置１０を複数備える。本実施形態では、送受信装置１０（１０Ａ〜１０Ｆ）が６台であることとする。
【００２６】
ここで、送受信装置１０Ａは、演奏所（放送局）に配置されている。また、送受信装置１０Ｂ〜１０Ｄは、同一のＦＰＵ基地局に配置されている。また、送受信装置１０Ｅは、ヘリコプタに搭載されている。また、送受信装置１０Ｆは、放送中継車に搭載されている。
【００２７】
そして、素材ファイル交換システム１は、取材現場（放送中継車）で収録された映像や音声を素材ファイルとして、送受信装置１０Ｆから、送受信装置１０Ｄ，１０Ｂを経由して、演奏所の送受信装置１０Ａまでリレー方式で送信する。さらに、素材ファイル交換システム１は、取材現場（ヘリコプタ）で収録された映像や音声も素材ファイルとして、送受信装置１０Ｅから、送受信装置１０Ｃ，１０Ｂを経由して、演奏所の送受信装置１０Ａまでリレー方式で送信する。
【００２８】
なお、素材ファイル交換システム１は、取材現場と演奏所との間で双方向に素材ファイルを送受信できる。実際には、素材ファイル交換システム１は、取材現場から演奏所に向けて、一方向で素材ファイルを送信することが多い。図１では、素材ファイルの送信方向を破線矢印で図示した。
【００２９】
［送受信装置の構成］
図２を参照し、送受信装置１０の構成について、説明する（適宜図１参照）。
送受信装置１０は、ＩＰ接続された通信回線（双方向無線通信回線）にオーバレイネットワークを構築し、素材ファイルを送受信するものである。ここで、送受信装置１０は、ピア又はノードと呼ばれることもある。
【００３０】
図２のように、送受信装置１０は、無線通信回路２０と、ＩＰ通信回路３０と、ベースバンド信号入出力回路４０と、内部ストレージ（記憶手段）５０と、オーバレイネットワークファイル交換回路６０とを備える。
【００３１】
無線通信回路２０は、マイクロ波帯の双方向無線通信回線を介して、無線通信を行うものである。例えば、無線通信回路２０は、他の送受信装置１０に電波を発射し、アンテナの方向を調整し、無線信号を送受信する。
なお、無線通信回路２０は、一般的な構成のため、詳細な説明を省略する。
【００３２】
ＩＰ通信回路３０は、無線通信回路２０を介して、ＩＰ層での送受信を行うものである。本実施形態では、３台の送受信装置１０Ｂ〜１０Ｄが同一のＦＰＵ基地局に配置されている（図１参照）。従って、送受信装置１０Ｂ，１０Ｄの間、送受信装置１０Ｂ，１０Ｃの間を有線ネットワークで接続してもよい。この場合、ＩＰ通信回路３０は、有線ネットワークを介して、ＩＰ通信を行ってもよい。
なお、ＩＰ通信回路３０は、一般的な構成のため、詳細な説明を省略する。
【００３３】
ベースバンド信号入出力回路４０は、ベースバンド信号を入出力するものである。ここで、ベースバンド信号入出力回路４０は、外部（例えば、取材現場の撮影カメラ）から入力されたベースバンド信号を、無線通信回路２０又はＩＰ通信回路３０を介して、リアルタイムで送信する。
【００３４】
また、ベースバンド信号入出力回路４０は、無線通信回路２０又はＩＰ通信回路３０を介して、ベースバンド信号をリアルタイムで受信し、受信したベースバンド信号を外部（例えば、演奏所の素材管理装置）に出力する。
なお、ベースバンド信号入出力回路４０は、一般的な構成のため、詳細な説明を省略する。
【００３５】
内部ストレージ５０は、素材ファイル及び設定情報を記憶するメモリ、ハードディスク等の記憶装置である。
なお、送受信装置１０は、内部ストレージ５０と同様、ファイルサーバ等の外部ストレージ７０に素材ファイルを記憶してもよい。
【００３６】
素材ファイルは、取材現場で収録された素材（映像や音声）がファイル化されたものである。ここで、素材ファイルは、各素材ファイルを一意に識別できるファイル名（識別情報）が付される。例えば、素材ファイルのファイル名は、素材名称と、素材ファイルの生成日時とを連結した文字列である。
設定情報は、後記するＱＵＥＲＹメッセージの送信可否や素材ファイルを削除するまでの期間など、送受信装置１０の動作に関する設定が記述される情報である。
【００３７】
オーバレイネットワークファイル交換回路６０は、ＩＰ通信回路３０を介して、素材ファイルを送受信するものである。図２のように、オーバレイネットワークファイル交換回路６０は、ネットワーク構築手段６２と、ファイル検索手段６４と、ファイル交換手段６６とを備える。
【００３８】
ネットワーク構築手段６２は、隣接する他の送受信装置１０との間で、オーバレイネットワークを構築するものである。例えば、ネットワーク構築手段６２は、特定のネットワーク構造を持たないＰ２Ｐ（Unstructured  P2P）技術を利用して、オーバレイネットワークを構築する。
【００３９】
＜オーバレイネットワークの構築＞
図３〜図５を参照し、送受信装置１０Ｆのネットワーク構築手段６２Ｆに着目して、オーバレイネットワークの構築について説明する（適宜図２参照）。
なお、送受信装置１０Ａ〜１０Ｅが備えるネットワーク構築手段６２を個別に説明する場合、ネットワーク構築手段６２にＡ〜Ｅの添え字を付した（他の手段も同様）。
【００４０】
図３は、図１の素材ファイル交換システム１をオーバレイネットワークに置き換えたトポロジ図である。図３では、Ａ〜Ｆの文字が送受信装置１０Ａ〜１０Ｆを表している。また、図３では、送受信装置１０Ｂ〜１０ＤがＦＰＵ基地局に配置されていることを表すため、送受信装置１０Ｂ〜１０Ｄを破線で囲った。
【００４１】
図３のように、素材ファイル交換システム１は、送受信装置１０Ａ，１０Ｂの間、送受信装置１０Ｂ，１０Ｃの間、送受信装置１０Ｂ，１０Ｄの間、送受信装置１０Ｃ，１０Ｅの間で、既にオーバレイネットワークが構築されている。また、素材ファイル交換システム１は、送受信装置１０Ａ〜１０Ｅが運用状態、つまり、素材ファイルの送受信が可能な状態である。そして、図４のように、取材現場の送受信装置１０Ｆをオーバレイネットワークに追加する場合を考える。
【００４２】
まず、送受信装置１０Ｆは、送受信装置１０Ｄとの間で双方向無線通信回線を確立し、送受信装置１０ＤにＩＰ接続する。次に、送受信装置１０Ｆのネットワーク構築手段６２Ｆは、図４のように、ＰＩＮＧメッセージをブロードキャスト送信する。このＰＩＮＧメッセージは、送受信装置１０Ａ〜１０Ｅの存在を問い合わせるメッセージである。図４では、ＰＩＮＧメッセージは、物理ネットワーク上に存在する全ての送受信装置１０Ａ〜１０Ｅに送信される。
【００４３】
続いて、送受信装置１０Ａ〜１０Ｅのネットワーク構築手段６２Ａ〜６２Ｅは、ＰＩＮＧメッセージに応じて、ＰＯＮＧメッセージを送受信装置１０Ｆに送信する。このＰＯＮＧメッセージは、送受信装置１０Ａ〜１０Ｅが存在していることを示すメッセージである。
【００４４】
続いて、送受信装置１０Ｆのネットワーク構築手段６２Ｆは、送受信装置１０Ａ〜１０ＥからＰＯＮＧメッセージを受信する。すると、ネットワーク構築手段６２Ｆは、送受信装置１０Ａ〜１０Ｅのそれぞれについて、ＰＩＮＧメッセージの送信時刻とＰＯＮＧメッセージの受信時刻との差を、往復遅延時間（ＲＴＴ：Round Trip Time）として算出する。そして、図５のように、ネットワーク構築手段６２Ｆは、往復遅延時間が最小となる送受信装置１０Ｄを選択し、選択した送受信装置１０Ｄとの間で、オーバレイネットワークを構築する。すなわち、素材ファイル交換システム１は、ある送受信装置１０と別の送受信装置１０とが１経路のみで接続されたオーバレイネットワークを構築する。
【００４５】
図２に戻り、送受信装置１０の構成について、説明を続ける。
ファイル検索手段６４は、ネットワーク構築手段６２が構築したオーバレイネットワークを介して、他の送受信装置１０にＱＵＥＲＹメッセージを送信するものである。このＱＵＥＲＹメッセージは、未伝送素材ファイルを有しているか否かを問い合わせるメッセージである。また、未伝送素材ファイルは、この送受信装置１０の内部ストレージ５０に記憶されていない素材ファイルのことである。
【００４６】
また、ファイル検索手段６４は、ＱＵＥＲＹメッセージを受信した場合、未伝送素材ファイルが内部ストレージ５０に記憶されているか否かを判定する。そして、ファイル検索手段６４は、未伝送素材ファイルが記憶されている場合、ＱＵＥＲＹ−ＨＩＴメッセージを問い合わせ元の送受信装置１０に出力する。このＱＵＥＲＹ−ＨＩＴメッセージは、未伝送素材ファイルを有していることを示すメッセージである。また、問い合わせ元の送受信装置１０は、ＱＵＥＲＹメッセージを送信した送受信装置１０のことである。
【００４７】
ファイル交換手段６６は、他の送受信装置１０からＱＵＥＲＹ−ＨＩＴメッセージを受信した場合、他の送受信装置１０から未伝送素材ファイルを受信して内部ストレージ５０に書き込むものである。
また、ファイル交換手段６６は、ファイル検索手段６４がＱＵＥＲＹ−ＨＩＴメッセージを送信した送受信装置１０に、未伝送素材ファイルを送信する。
【００４８】
＜未伝送素材ファイルの検索及び送受信＞
図６〜図８を参照し、未伝送素材ファイルの検索及び送受信について、説明する。
送受信装置１０Ａ〜１０Ｆのファイル検索手段６４は、未伝送素材ファイルをオーバレイネットワーク上で定期的に検索する。つまり、ファイル検索手段６４は、ＱＵＥＲＹメッセージを隣接する送受信装置１０に定期的に送信する。
【００４９】
ここで、ＱＵＥＲＹメッセージには、転送回数（ＴＴＬ：Time To Live）が付加されている。この転送回数は、ＱＵＥＲＹメッセージを受信した送受信装置１０が、別の送受信装置１０にＱＵＥＲＹメッセージを送信（転送）できる回数を表す。このＱＵＥＲＹメッセージは、送信（転送）される都度、転送回数の値が１だけ減算される。そして、ＱＵＥＲＹメッセージは、転送回数の値が０になるまで、繰り返し転送される。その後、ＱＵＥＲＹメッセージは、転送回数の値が０になると、破棄される。
【００５０】
図６のように、演奏所の送受信装置１０ＡがＱＵＥＲＹメッセージを送信する場合を考える。この場合、転送回数の値が１以上でなければ、ＱＵＥＲＹメッセージは、送受信装置１０Ｂに送信できない。また、転送回数の値が２以上であれば、ＱＵＥＲＹメッセージは、送受信装置１０Ｃ，１０Ｄまで転送される。さらに、転送回数の値が３以上であれば、ＱＵＥＲＹメッセージは、送受信装置１０Ｅ，１０Ｆまで転送される。つまり、転送回数は、未伝送素材ファイルの検索範囲を表しており、その値が大きくなると、トラヒックの増大を招く可能性が高い。
【００５１】
前記したように、素材ファイルは、取材現場の送受信装置１０Ｅ，１０Ｆから、演奏所の送受信装置１０Ａに送信される。その一方、未伝送素材ファイルは、演奏所の送受信装置１０Ａから、ＦＰＵ基地局の送受信装置１０Ｂ〜１０Ｄや取材現場の送受信装置１０Ｅ，１０Ｆに送信する必要性が殆どない。しかし、転送回数の値が大きいと、素材ファイルの往復が不必要に発生し、ネットワークの利用効率が低下する。
【００５２】
以下、図７を参照して、全ての送受信装置１０で転送回数の値を３以上に設定したとき、素材ファイルが往復する問題について、具体的に説明する。ここで、未伝送素材ファイルが記憶された送受信装置１０Ｆに対し、送受信装置１０Ａが、送受信装置１０Ｂよりも先にＱＵＥＲＹメッセージを送信した場合を考える。
なお、図７では、ＱＵＥＲＹ−Ａが送受信装置１０ＡからのＱＵＥＲＹメッセージを表し、ＱＵＥＲＹ−Ｂが送受信装置１０ＢからのＱＵＥＲＹメッセージを表す。
【００５３】
この場合、送受信装置１０Ｆは、送受信装置１０ＡからのＱＵＥＲＹメッセージに応じて、未伝送素材ファイルを送受信装置１０Ａに送信する。次に、送受信装置１０Ｂが、ＱＵＥＲＹメッセージを送受信装置１０Ａ，１０Ｆに送信する。すると、未伝送素材ファイルが送受信装置１０Ａに送信されているにも関わらず、送受信装置１０Ａは、送受信装置１０ＢからのＱＵＥＲＹメッセージに応じて、実際には伝送済みの素材ファイルを未伝送素材ファイルとして送受信装置１０Ｂに送信してしまう。このように、不要な素材ファイルの往復が、送受信装置１０Ｂと送受信装置１０Ａとの間で発生してしまう。
【００５４】
以上より、素材ファイル交換システム１は、転送回数の値を１に設定すると、素材ファイルの不必要な往復を防止できる。この場合、未伝送素材ファイルは、図８のように、取材現場の送受信装置１０Ｅ，１０Ｆから、ＦＰＵ基地局の送受信装置１０Ｃ〜１０Ｄを経由して、演奏所の送受信装置１０Ａまで、リレー方式で送受信される。
なお、図８では、ＱＵＥＲＹ−Ｄが送受信装置１０ＤからのＱＵＥＲＹメッセージを表す。
【００５５】
具体的には、送受信装置１０Ｄのファイル検索手段６４Ｄは、ＱＵＥＲＹメッセージを隣接する送受信装置１０Ｂ，１０Ｆに送信する。このとき、ファイル検索手段６４Ｄは、ＱＵＥＲＹメッセージに、未伝送素材ファイルを検索するときのキーワードを記述しておく。このキーワードは、送受信装置１０Ｄの内部ストレージ５０に記憶された全ての素材ファイルのファイル名が含まれる。
【００５６】
送受信装置１０Ｆのファイル検索手段６４Ｆは、送受信装置１０ＤからのＱＵＥＲＹメッセージに応じて、未伝送素材ファイルが送受信装置１０Ｆの内部ストレージ５０Ｆに記憶されているか否かを検索する。具体的には、ファイル検索手段６４Ｆは、キーワードのファイル名に含まれる素材名称で内部ストレージ５０Ｆを部分一致検索する。素材ファイルを検索できた場合、ファイル検索手段６４Ｆは、キーワードのファイル名に含まれる作成日時と、検索された素材ファイルの作成日時とを比較する。
【００５７】
ここで、検索された素材ファイルの作成日時が、キーワードのファイル名に含まれる作成日時よりも新しい場合、ファイル検索手段６４Ｆは、未伝送素材ファイルが内部ストレージ５０Ｆに記憶されていると判定する。
【００５８】
この場合、ファイル検索手段６４Ｆは、ＱＵＥＲＹ−ＨＩＴメッセージを送受信装置１０Ｄに送信すると共に、未伝送素材ファイルの送信をファイル交換手段６６Ｆに指令する（未伝送素材ファイル送信指令）。この未伝送素材ファイル送信指令には、未伝送素材ファイルのファイル名と、送受信装置１０Ｄの識別情報（例えば、ピア名）とが含まれる
【００５９】
一方、検索された素材ファイルの作成日時が、キーワードのファイル名に含まれる作成日時と同じ又はその作成日時よりも古い場合、ファイル検索手段６４Ｆは、未伝送素材ファイルが記憶されていないと判定する。この場合、ファイル検索手段６４Ｆは、ＱＵＥＲＹ−ＨＩＴメッセージを送信しない。
【００６０】
なお、送受信装置１０Ｂのファイル検索手段６４Ｂも、ファイル検索手段６４Ｆと同様、送受信装置１０ＤからのＱＵＥＲＹメッセージに応じて、未伝送素材ファイルを検索する。
以下、未伝送素材ファイルが送受信装置１０Ｆに記憶されていることとして、説明を続ける。
【００６１】
送受信装置１０Ｆのファイル交換手段６６Ｆは、ＱＵＥＲＹ−ＨＩＴメッセージを送信した送受信装置１０Ｄに、オーバレイネットワークを介して、未伝送素材ファイルを送信する。具体的には、ファイル交換手段６６Ｆは、ファイル検索手段６４Ｆから未伝送素材ファイル送信指令が入力された場合、この未伝送素材ファイル送信指令に含まれる未伝送素材ファイルを内部ストレージ５０から読み出す。そして、ファイル交換手段６６Ｆは、未伝送素材ファイル送信指令に含まれる送受信装置１０Ｄに対し、読み出した未伝送素材ファイルを送信する。その後、ファイル交換手段６６Ｆは、外部（例えば、素材ファイルの管理者）に未伝送素材ファイルの送信完了を通知してもよい。
【００６２】
送受信装置１０Ｄのファイル交換手段６６Ｄは、送受信装置１０ＦからのＱＵＥＲＹ−ＨＩＴメッセージに応じて、オーバレイネットワークを介して、送受信装置１０Ｆから未伝送素材ファイルを受信する。そして、ファイル交換手段６６Ｄは、受信した素材ファイルを内部ストレージ５０Ｄに書き込む。
【００６３】
このようにして、素材ファイル交換システム１は、送受信装置１０Ｆから送受信装置１０Ｄまで未伝送素材ファイルを転送する。以後、素材ファイル交換システム１は、同様の手順により、送受信装置１０Ｄ，１０Ｂの間、送受信装置１０Ｂ，１０Ａの間で未伝送素材ファイルを転送する。
【００６４】
＜ＱＵＥＲＹメッセージの送信可否の設定＞
図９を参照し、ＱＵＥＲＹメッセージの送信可否の設定について、説明する（適宜図２参照）。
前記したように、取材現場の送受信装置１０Ｅ，１０Ｆは、他の場所で制作された素材ファイルを受信する必要がないので、ＱＵＥＲＹメッセージを送信する必要がない。
【００６５】
そこで、ファイル検索手段６４は、ＱＵＥＲＹメッセージの送信可否を予め設定できる。例えば、内部ストレージ５０の設定情報にＱＵＥＲＹメッセージの送信可否を記述しておく。この場合、ファイル検索手段６４は、内部ストレージ５０の設定情報を読み込んで、ＱＵＥＲＹメッセージの送信可否を設定する。
【００６６】
図９では、取材現場の送受信装置１０Ｅ，１０Ｆは、ＱＵＥＲＹメッセージを送信しないように設定されている。これにより、素材ファイル交換システム１は、不必要な素材ファイル及びＱＵＥＲＹメッセージの送受信を低減することができる。
【００６７】
＜素材ファイルの削除＞
以下、素材ファイルの削除について、説明する。
素材ファイル交換システム１では、内部ストレージ５０に大量の素材ファイルが記憶され、その容量が圧迫される可能性がある。さらに、素材ファイル交換システム１では、新たな送受信装置１０が追加された場合、大量の素材ファイルがその送受信装置１０に送信される可能性もある。そこで、素材ファイル交換システム１では、内部ストレージ５０に記憶された素材ファイルを適宜削除することが好ましい。
【００６８】
ファイル検索手段６４は、他の送受信装置１０（例えば、演奏所の送受信装置１０Ａ）からファイル削除指令が入力された場合、内部ストレージ５０に記憶された素材ファイルを削除する。このファイル削除指令は、内部ストレージ５０に記憶された素材ファイルの削除を指令するものである。
【００６９】
また、ファイル検索手段６４は、予め設定された期間（例えば、１０日）を超えて内部ストレージ５０に記憶されている素材ファイルを削除してもよい。この場合、内部ストレージ５０の設定情報にこの期間を予め記述しておく。そして、ファイル検索手段６４は、内部ストレージ５０の設定情報を読み込んで、この期間を設定する。
【００７０】
＜素材ファイルの送信予約＞
図１０を参照し、素材ファイルの送信予約について、説明する（適宜図２参照）。
蓄積型素材ファイル伝送は、ベースバンド伝送（リアルタイム伝送）と比べて優先度が低くなる。そこで、送受信装置１０は、未伝送素材ファイルの送信を予約し、リアルタイム伝送の終了後、又は、ベースバンド伝送中であっても残通信帯域が使用可能な場合、予約された未伝送素材ファイルを送信する。
【００７１】
図１０のように、送受信装置１０Ｂが未伝送素材ファイルを送受信装置１０Ａに送信するときに、送受信装置１０Ａ〜１０Ｅの間でベースバンド伝送が行われていることとする。
まず、送受信装置１０Ｂのファイル交換手段６６Ｂは、予約リストに未伝送素材ファイルのファイル名を格納する。
【００７２】
次に、ファイル交換手段６６Ｂは、ベースバンド伝送の実行状態又はベースバンド伝送実行中の残通信帯域に基づいて、未伝送素材ファイルを送信できるか否かを判定する。具体的には、ファイル交換手段６６Ｂは、ベースバンド信号入出力回路４０Ｂがベースバンド伝送を実行しているか否かをリアルタイムで監視する。さらに、ファイル交換手段６６Ｂは、未伝送素材ファイルを送信可能な残通信帯域があるか否かもリアルタイムで監視する。
【００７３】
そして、ファイル交換手段６６Ｂは、ベースバンド伝送を実行していない場合、又は、未伝送素材ファイルを送信可能な残通信帯域がある場合、未伝送素材ファイルを送信できると判定する。この場合、ファイル交換手段６６Ｂは、予約リストに格納されたファイル名の未伝送素材ファイルを送信する。
【００７４】
一方、ファイル交換手段６６Ｂは、ベースバンド伝送を実行中、かつ、未伝送素材ファイルを送信可能な残通信帯域がない場合、未伝送素材ファイルを送信できないと判定する。
この場合、ファイル交換手段６６Ｂは、未伝送素材ファイルの送信を待機する。
【００７５】
ここで、未伝送素材ファイルの送信中又は送信待機中、異なる未伝送素材ファイルについてＱＵＥＲＹメッセージを受信する場合もある。この場合、ファイル交換手段６６Ｂは、ＱＵＥＲＹメッセージを受信した順番で、未伝送素材ファイルのファイル名を予約リストに格納する。
【００７６】
そして、ファイル交換手段６６Ｂは、未伝送素材ファイルを送信できると再び判定した場合、予約リストにファイル名が格納された順番で、そのファイル名の未伝送素材ファイルを送信する。つまり、ファイル交換手段６６Ｂは、ベースバンド伝送が終了したタイミングで、又は、ベースバンド伝送実行中でも未伝送素材ファイルを送信可能な残通信帯域がある場合には速やかに、未伝送素材ファイルを送受信装置１０Ａに送信する。
【００７７】
［オーバレイネットワーク構築処理］
図１１を参照し、素材ファイル交換システム１でのオーバレイネットワーク構築処理について、説明する（適宜図２参照）。
【００７８】
送受信装置１０は、無線通信回路２０によって、隣接する他の送受信装置１０との間で双方向無線通信回線を確立する。そして、送受信装置１０は、ＩＰ通信回路３０によって、隣接する他の送受信装置１０との間でＩＰ接続する（ステップＳ１）。
【００７９】
送受信装置１０は、ネットワーク構築手段６２によって、ＰＩＮＧメッセージをブロードキャスト送信する（ステップＳ２）。
送受信装置１０は、ネットワーク構築手段６２によって、ステップＳ２でＰＩＮＧメッセージを受信した送受信装置１０から、ＰＯＮＧメッセージを受信する（ステップＳ３）。
【００８０】
送受信装置１０は、ネットワーク構築手段６２によって、ステップＳ２で送信したＰＩＮＧメッセージの送信時刻と、ステップＳ３で受信したＰＯＮＧメッセージの受信時刻との差を、往復遅延時間として算出する（ステップＳ４）。
【００８１】
送受信装置１０は、ネットワーク構築手段６２によって、ステップＳ４で算出した往復遅延時間が最小となる送受信装置１０を選択し、選択した送受信装置１０との間でオーバレイネットワークを構築し（ステップＳ５）、処理を終了する。
【００８２】
［素材ファイル問合処理及び素材ファイル検索処理］
図１２を参照し、素材ファイル交換システム１での素材ファイル問合処理及び素材ファイル検索処理について、説明する（適宜図２参照）。
【００８３】
送受信装置１０Ｄは、ファイル検索手段６４Ｄによって、ＱＵＥＲＹメッセージを送受信装置１０Ｆに送信する（ステップＳ１０）。
送受信装置１０Ｆは、ファイル検索手段６４Ｆによって、送受信装置１０ＤからＱＵＥＲＹメッセージを受信する（ステップＳ１１）。
【００８４】
送受信装置１０Ｆは、ファイル検索手段６４Ｆによって、ステップＳ１１で受信したＱＵＥＲＹメッセージに応じて、未伝送素材ファイルが送受信装置１０Ｆの内部ストレージ５０Ｆに記憶されているか否かを判定する（ステップＳ１２）。
【００８５】
未伝送素材ファイルが記憶されている場合（ステップＳ１２でＹｅｓ）、送受信装置１０Ｆは、ファイル検索手段６４Ｆによって、ＱＵＥＲＹ−ＨＩＴメッセージを送受信装置１０Ｄに送信する（ステップＳ１３）。
送受信装置１０Ｆは、未伝送素材ファイルが記憶されていない場合（ステップＳ１２でＮｏ）、又は、ステップＳ１３の後、処理を終了する。
【００８６】
送受信装置１０Ｄは、ファイル検索手段６４Ｄによって、送受信装置１０ＦからのＱＵＥＲＹ−ＨＩＴメッセージを受信し、処理を終了する（ステップＳ１４）。
【００８７】
［素材ファイル送信処理］
図１３を参照し、素材ファイル交換システム１での素材ファイル送信処理について、説明する（適宜図２参照）。
【００８８】
送受信装置１０は、ファイル交換手段６６によって、予約リストに未伝送素材ファイルのファイル名を格納する（ステップＳ２０）。
送受信装置１０は、ファイル交換手段６６によって、ベースバンド伝送を実行中であるか否かを判定する（ステップＳ２１）。
【００８９】
ベースバンド伝送を実行中の場合（ステップＳ２１でＹｅｓ）、送受信装置１０は、ファイル交換手段６６によって、未伝送素材ファイルを送信可能な残通信帯域があるか否かを判定する（ステップＳ２２）。
未伝送素材ファイルを送信可能な残通信帯域がない場合（ステップＳ２２でＮｏ）、ステップＳ２１の処理に戻り、未伝送素材ファイルの送信を待機する。
【００９０】
ベースバンド伝送を実行していない場合（ステップＳ２１でＮｏ）、又は、未伝送素材ファイルを送信可能な残通信帯域がある場合（ステップＳ２２でＹｅｓ）、送受信装置１０は、ファイル交換手段６６によって、予約リストにファイル名が格納された順番で、未伝送素材ファイルを送信する（ステップＳ２３）。
【００９１】
［作用・効果］
本願発明の実施形態に係る素材ファイル交換システム１は、隣接する送受信装置１０同士でオーバレイネットワークを構築するため、ＩＰ接続を隠ぺいし、ＩＰ接続に関する設定を省くことができる。さらに、素材ファイル交換システム１は、ベースバンド伝送を行っていない通信回線や通信帯域で未伝送素材ファイルをリレー方式で送受信できるので、空いている周波数資源を有効活用すると共に、未伝送素材ファイルの伝送時間を短縮することができる。さらに、素材ファイル交換システム１では、全ての送受信装置１０が同一構成のため、送受信装置１０の追加や交換が容易となり、利便性が高い。
【００９２】
さらに、素材ファイル交換システム１は、特定のネットワーク構造を持たないＰ２Ｐ技術を利用できるので、送受信装置１０がオーバレイネットワークへ自由に参加離脱することができる。これによって、素材ファイル交換システム１は、送受信装置１０を任意の場所へ移動させても、運用形態が変化しないので、利便性が高い。
【００９３】
さらに、素材ファイル交換システム１は、オーバレイネットワーク上で素材ファイルを共有できるため、ある送受信装置１０で障害が発生した場合でも、他の送受信装置１０が素材ファイルを記憶している可能性が高く、信頼性が高い。
【００９４】
今後、スーパーハイビジョン放送の開始に伴い、素材ファイルの容量も巨大化する可能性が高い。このため、通信回線の使用効率を向上させ、周波数帯域を有効に活用できる仕組みが求められている。本願発明は、スーパーハイビジョン時代において、通信回線の使用効率向上、伝送時間短縮等のメリットが顕著に表れる。
【００９５】
以上、本願発明の実施形態を詳述してきたが、本願発明は前記した実施形態に限られるものではなく、本願発明の要旨を逸脱しない範囲の設計変更等も含まれる。
【００９６】
前記した実施形態では、放送事業者が有する素材伝送用の無線ネットワークを例として説明したが、本願発明は、これに限定されない。例えば、本願発明は、公衆ＩＰ網に適用することもできる。さらに、本願発明は、無線ネットワークだけでなく、有線ネットワークにも適用することもできる。
【符号の説明】
【００９７】
１  素材ファイル交換システム
１０  送受信装置
２０  無線通信回路
３０  ＩＰ通信回路
４０  ベースバンド信号入出力回路
５０  内部ストレージ（記憶手段）
６０  オーバレイネットワークファイル交換回路
６２  ネットワーク構築手段
６４  ファイル検索手段
６６  ファイル交換手段
【図１】
2016116101.tif 000003
【図２】
2016116101.tif 000004
【図３】
2016116101.tif 000005
【図４】
2016116101.tif 000006
【図５】
2016116101.tif 000007
【図６】
2016116101.tif 000008
【図７】
2016116101.tif 000009
【図８】
2016116101.tif 000010
【図９】
2016116101.tif 000011
【図１０】
2016116101.tif 000012
【図１１】
2016116101.tif 000013
【図１２】
2016116101.tif 000014
【図１３】
2016116101.tif 000015